(57)【要約】【課題】ユーザが蓄電池に対して入出力される電路の接続状態を容易に且つ確実に確認することが可能な蓄電システムを提供する。【解決手段】蓄電システム１はバッテリ１３、バッテリ１３の充電を制御する充電回路部１０、充電回路部１０またはバッテリ１３から供給される電力を変換する出力電力変換部（インバータ回路部３０、ＤＣ／ＤＣ回路部１１）、充電回路部１０及び出力電力変換部とバッテリ１３との間に設けたブレーカ７、充電回路部１０と出力電力変換部及びバッテリ１３との間に設けたスイッチ１２、充電回路部１０及び出力電力変換部とブレーカ７との間に設けたバッテリ電圧検出部１６、スイッチ１２を定期的に開状態にしたときにバッテリ電圧検出部１６から得られるバッテリ１３の電圧に基づいてバッテリ１３の異常状態を識別する主制御部１４及びその異常状態を報知する表示部１７、を備える。【選択図】図１
2014090547.tif 000002
【特許請求の範囲】
【請求項１】
充電及び放電を行う蓄電池と、
前記蓄電池に電力を供給して充電を制御する充電回路部と、
前記充電回路部または前記蓄電池から供給される電力の変換を行う出力電力変換部と、
前記充電回路部及び前記出力電力変換部と前記蓄電池との間を接続するための電力線に設けた電路の開閉が可能な第１開閉器と、
前記充電回路部の出力側であって前記充電回路部と前記出力電力変換部及び前記蓄電池との間に設けた電路の開閉が可能な第２開閉器と、
前記充電回路部及び前記出力電力変換部と前記第１開閉器との間に設けた前記蓄電池の電圧を検出する電圧検出部と、
前記第２開閉器を定期的に開状態にし、そのとき前記電圧検出部から得られる前記蓄電池の電圧に基づいて前記蓄電池の異常状態を識別する制御部と、
前記異常状態を報知する報知部と、
を備えることを特徴とする蓄電システム。
【請求項２】
前記第２開閉器が半導体素子からなることを特徴とする請求項１に記載の蓄電システム。
【請求項３】
前記第２開閉器の前記半導体素子がＧａＮＦＥＴからなることを特徴とする請求項２に記載の蓄電システム。
【請求項４】
前記蓄電池を内部に収容する筐体を備え、
前記第１開閉器を、前記筐体の外部から操作できるように前記筐体に設けたことを特徴とする請求項１〜請求項３のいずれか１項に記載の蓄電システム。
【請求項５】
前記報知部は表示、光または音を用いて前記異常状態を報知することを特徴とする請求項１〜請求項４のいずれか１項に記載の蓄電システム。
【発明の詳細な説明】
【技術分野】
【０００１】
本発明は蓄電システムに関する。
【背景技術】
【０００２】
近年、災害時などに発生する停電や屋外などの商用電源を得ることができない場所での電気電子機器の使用、ＣＯ2削減のための自然エネルギーの利用への対応として蓄電システムが注目されている。蓄電システムは蓄電池を備え、自然エネルギー、例えば太陽光発電で得られる電力を蓄電することが可能であるとともに、商用電力系統から供給される電力を蓄電することが可能なものがある。このような従来の蓄電システムが特許文献１に開示されている。
【０００３】
特許文献１に記載された従来の蓄電システムは太陽電池と商用電力系統とを連系させて電気エネルギーを消費する負荷に電力を供給するシステムであって、蓄電池と、充電回路に相当するシャント回路と、インバータとを備える。この蓄電システムは太陽電池の発電量が負荷の消費電力量より多い場合に蓄電池に対して充電を行い、少ない場合に蓄電池の蓄電電力を放電して負荷に供給する。さらに、昼間の太陽電池の発電量が蓄電池の容量を超える場合には電力を商用電力系統に供給して売電（逆潮流）を行う。このような蓄電システムを利用することにより、電力の平準化と、電力の品質低下の防止とを図っている。
【０００４】
ここで、他の従来の蓄電システムの構成について図面を参照して説明する。図５は従来の蓄電システムの構成の一例を示すブロック図である。図５に示す蓄電システム１０１はその筐体１０２の外部に入力端子１０３、入力端子１０４、出力端子１０５、出力端子１０６及びブレーカ１０７を備え、内部にＡＣ／ＤＣ回路部１０８、ＤＣ／ＤＣ回路部１０９、充電回路部１１０、インバータ回路部１２０、ＤＣ／ＤＣ回路部１１１、蓄電池であるバッテリ１１２及び制御部１１３を備える。インバータ回路部１２０はＤＣ／ＤＣ回路部１２１及びＤＣ／ＡＣ回路部１２２を備える。
【０００５】
入力端子１０３には例えば商用電力系統が電気的に接続され、その供給電力がＡＣ／ＤＣ回路部１０８に送られる。入力端子１０４には例えば不図示の太陽電池が電気的に接続され、その発電電力がＤＣ／ＤＣ回路部１０９に送られる。充電回路部１１０は入力側がＡＣ／ＤＣ回路部１０８及びＤＣ／ＤＣ回路部１０９と電気的に接続され、出力側がインバータ回路部１２０、ＤＣ／ＤＣ回路部１１１及びバッテリ１１２と電気的に接続される。充電回路部１１０、インバータ回路部１２０及びＤＣ／ＤＣ回路部１１１とバッテリ１１２との間を接続するための電力線にはブレーカ１０７が設けられる。ブレーカ１０７は電路の開閉（遮断、接続）を行うことができる。
【０００６】
充電回路部１１０は入力端子１０３及びＡＣ／ＤＣ回路部１０８を介して供給された商用電力または入力端子１０４及びＤＣ／ＤＣ回路部１０９を介して供給された太陽光発電電力をバッテリ１１２への充電に適した電力信号に変換する。また、充電回路部１１０はインバータ回路部１２０にも電力を供給してインバータ回路部１２０の動作を可能にする。蓄電システム１０１は入力端子１０３、１０４から入力される電力がインバータ回路部１２０の動作に十分な電力量であるとき、その余剰電力をバッテリ１１２に充電することができる。
【０００７】
制御部１１３は蓄電システム１０１の上記各構成要素を制御する。入力端子１０３から供給される商用電力が停電になったり、入力端子１０４から得られる陽光発電電力の供給が停止したりすると、制御部１１３はバッテリ１１２に蓄えた電力をブレーカ１０７を介してインバータ回路部１２０に供給して出力端子１０５から交流電力を出力することが可能である。すなわち、蓄電システム１０１はバックアップ電源となり得る。
【０００８】
ブレーカ１０７はバッテリ１１２を使用しない場合にオフ（開状態）にすることができる。また、ブレーカ１０７は充電回路部１１０またはバッテリ１１２の故障で異常電流が流れることを感知して電路を遮断したり、さらにバッテリ１１２に蓄えた電力を用いたバックアップ時にＡＣ出力負荷が異常に増加したことを感知して電路を遮断したりする役目を担う。
【先行技術文献】
【特許文献】
【０００９】
【特許文献１】特開２０１１−１５１９５９号公報
【発明の概要】
【発明が解決しようとする課題】
【００１０】
しかしながら、上記従来の蓄電システム１０１はブレーカ１０７の開閉状態を監視することができない。これにより、充電回路部１１０とバッテリ１１２との間の電路が接続されていない状態で使用してしまい、バッテリ１１２に蓄電されていない状況になることがあった。その結果、緊急時などに蓄電システム１０１がバックアップ電源としての本来の機能を発揮することができないという問題があった。
【００１１】
この問題の対策として、バッテリ１１２に対する充放電時の電流を検出するという技術が考えられた。しかしながら、バッテリ１１２が満充電状態且つ入力電力が供給されている状態においてバッテリ１１２に充電電流或いは放電電流が流れないので、この技術では充電回路部１０６とバッテリ１１２との間の電路が接続されているか否かを確認することができない場合があった。
【００１２】
本発明は、上記の点に鑑みなされたものであり、ユーザが蓄電池に対して入出力される電路の接続状態を容易に且つ確実に確認することが可能な蓄電システムを提供することを目的とする。
【課題を解決するための手段】
【００１３】
上記の課題を解決するため、本発明の蓄電システムは、充電及び放電を行う蓄電池と、前記蓄電池に電力を供給して充電を制御する充電回路部と、前記充電回路部または前記蓄電池から供給される電力の変換を行う出力電力変換部と、前記充電回路部及び前記出力電力変換部と前記蓄電池との間を接続するための電力線に設けた電路の開閉が可能な第１開閉器と、前記充電回路部の出力側であって前記充電回路部と前記出力電力変換部及び前記蓄電池との間に設けた電路の開閉が可能な第２開閉器と、前記充電回路部及び前記出力電力変換部と前記第１開閉器との間に設けた前記蓄電池の電圧を検出する電圧検出部と、前記第２開閉器を定期的に開状態にし、そのとき前記電圧検出部から得られる前記蓄電池の電圧に基づいて前記蓄電池の異常状態を識別する制御部と、前記異常状態を報知する報知部と、を備えることを特徴としている。
【００１４】
この構成によれば、制御部は定期的に第２開閉器を開状態（切断状態）にさせ、充電回路部の出力側の電路を遮断する。すなわち、出力電力変換部への入力は蓄電池に蓄えた電力のみとなる。例えば、第１開閉器が開状態（切断状態）であれば蓄電池の電力が出力電力変換部に供給されないので、このことを電圧検出部が検出する。したがって、電圧検出部から得られる蓄電池の電圧に基づいて第１開閉器の開閉状態が容易に確認される。
【００１５】
なお、ここで述べた「開閉器」は電路の開閉を切り替えることが可能な機能部材であって、スイッチやブレーカ（遮断器）を含む。
【００１６】
また、上記構成の蓄電システムにおいて、前記第２開閉器が半導体素子からなることを特徴としている。
【００１７】
また、上記構成の蓄電システムにおいて、前記第２開閉器の前記半導体素子がＧａＮＦＥＴからなることを特徴としている。
【００１８】
これらの構成によれば、第２開閉器における電気的な損失が低減する。したがって、第１開閉器の開閉状態の確認が容易になることに加えて、蓄電システムの省エネルギー化、小型化が進む。さらに、他の半導体素子と比較してより低いオン抵抗が得られるＧａＮ（窒化ガリウム）ＦＥＴからなる第２開閉器を使用すれば、蓄電システムの省エネルギー化、小型化がより一層向上する。
【００１９】
また、上記構成の蓄電システムにおいて、前記蓄電池を内部に収容する筐体を備え、前記第１開閉器を、前記筐体の外部から操作できるように前記筐体に設けたことを特徴としている。
【００２０】
この構成によれば、例えば蓄電池を長期間使用しないときに第１開閉器を開状態にすることができる。したがって、第１開閉器の開閉状態の確認が容易になることに加えて、待機電力による蓄電池の消耗が低減する。
【００２１】
また、上記構成の蓄電システムにおいて、前記報知部は表示、光または音を用いて前記異常状態を報知することを特徴としている。
【００２２】
この構成によれば、表示や光、音などを用いて第１開閉器の開状態がユーザに報知されるので、第１開閉器の開閉状態の確認がより一層容易になる。
【発明の効果】
【００２３】
本発明の構成によれば、ユーザが蓄電池に対して入出力される電路の接続状態を容易に且つ確実に確認することが可能な蓄電システムを提供することができる。
【図面の簡単な説明】
【００２４】
【図１】本発明の第１実施形態の蓄電システムの構成を示すブロック図である。
【図２】本発明の第１実施形態の蓄電システムのバッテリに対して入出力される電路の接続状態の確認動作を示すフローチャートである。
【図３】本発明の第２実施形態の蓄電システムの構成を示すブロック図である。
【図４】本発明の第３実施形態の蓄電システムの構成を示すブロック図である。
【図５】従来の蓄電システムの構成を示すブロック図である。
【発明を実施するための形態】
【００２５】
以下、本発明の実施形態を図１〜図４に基づき説明する。
【００２６】
＜第１実施形態＞
最初に、本発明の第１実施形態に係る蓄電システムについて、図１を用いてその構造と動作を説明する。図１は蓄電システムの構成を示すブロック図である。なお、図１では電力線を各構成要素を繋ぐ実線で示し、信号線を破線矢印で示す。
【００２７】
蓄電システム１は、図１に示すようにその筐体２の外部に入力端子３、入力端子４、出力端子５、出力端子６及び第１開閉器であるブレーカ７を備える。入力端子３は商用電力系統と電気的に接続される。入力端子４は不図示の太陽電池と電気的に接続される。出力端子５は交流電力を出力する。出力端子６は直流電力を出力する。ブレーカ７は筐体２の外部から操作できるように筐体２に設けられる。
【００２８】
また、蓄電システム１はその筐体２の内部にＡＣ／ＤＣ回路部８、ＤＣ／ＤＣ回路部９、充電回路部１０、出力電力変換部であるインバータ回路部３０、出力電力変換部であるＤＣ／ＤＣ回路部１１、第２開閉器であるスイッチ１２、蓄電池であるバッテリ１３、主制御部１４、リレー開閉制御部１５及びバッテリ電圧検出部１６を備える。さらに、蓄電システム１はその筐体２の外部から確認できる箇所に報知部である表示部１７を備える。
【００２９】
ここで、スイッチ１２は電路の開閉が可能なリレー回路を備え、通常閉状態（接続状態）になっている。また、バッテリ１３は化学反応を用いて電気の蓄積（充電）、放出（放電）が可能な電池であり、例えばリチウムイオン二次電池やニッケル・カドミウム蓄電池、鉛蓄電池などで構成される。また、インバータ回路部３０はＤＣ／ＤＣ回路部３１及びＤＣ／ＡＣ回路部３２を備える。
【００３０】
ＡＣ／ＤＣ回路部８の入力側が入力端子３と電気的に接続され、ＤＣ／ＤＣ回路部９の入力側が入力端子４と電気的に接続される。インバータ回路部３０の出力側が出力端子５と電気的に接続され、ＤＣ／ＤＣ回路部１１の出力側が出力端子６と電気的に接続される。ＡＣ／ＤＣ回路部８及びＤＣ／ＤＣ回路部９の出力側は各々ＯＲ接続されたダイオード１８を介して充電回路部１０の入力側と電気的に接続される。充電回路部１０の出力側はスイッチ１２を介してインバータ回路部３０及びＤＣ／ＤＣ回路部１１の入力側と電気的に接続される。
【００３１】
さらに、スイッチ１２を介した充電回路部１０の出力側と、インバータ回路部３０及びＤＣ／ＤＣ回路部１１の入力側とはブレーカ７を介してバッテリ１３とも電気的に接続される。すなわち、充電回路部１０（スイッチ１２の出力側）、インバータ回路部３０及びＤＣ／ＤＣ回路部１１と、バッテリ１３との間を接続するための電力線１９に電路の開閉が可能なブレーカ７が設けられる。
【００３２】
ＡＣ／ＤＣ回路部８は入力端子３を介して商用電力系統から交流電力の供給を受け、直流電力に変換して出力する。ＤＣ／ＤＣ回路部９は入力端子４を介して不図示の太陽電池から直流電力の供給を受け、その電圧を別の電圧に変換して出力する。ＡＣ／ＤＣ回路部８及びＤＣ／ＤＣ回路部９から電力の供給を受ける充電回路部１０はバッテリ１３に適した充電モードとなるように電力を供給してバッテリ１３への充電を制御する機能を備える。
【００３３】
また、充電回路部１０はインバータ回路部３０及びＤＣ／ＤＣ回路部１１にも電力を供給する。これにより、ブレーカ７が開状態でバッテリ１３に対して入出力される電路が接続されていない状態でもインバータ回路部３０及びＤＣ／ＤＣ回路部１１の動作が可能になる。したがって、蓄電システム１は充電回路部１０が出力する電力がインバータ回路部３０及びＤＣ／ＤＣ回路部１１の動作に十分な電力量であるとき、その余剰電力をバッテリ１３に充電することができる。
【００３４】
なお、インバータ回路部３０はＤＣ／ＤＣ回路部３１及びＤＣ／ＡＣ回路部３２を用いて、充電回路部１０またはバッテリ１３から供給される直流電力を交流電力に変換する機能を備える。ＤＣ／ＤＣ回路部３１が商用交流電圧に必要な電圧まで昇圧し、ＤＣ／ＡＣ回路部３２が直流電力を商用交流電力に変換する。インバータ回路部３０は、例えば日本国内であれば、電圧１００Ｖｒｍｓ、周波数５０Ｈｚ／６０Ｈｚに変換して、出力端子５から出力する。蓄電システム１が海外仕様のものであれば、インバータ回路部３０はその仕向け国の電圧に合うように電力を変換して出力する。
【００３５】
また、ＤＣ／ＤＣ回路部１１は充電回路部１０またはバッテリ１３から供給される直流電力の電圧を別の電圧に変換する機能を備える。ＤＣ／ＤＣ回路部１１は、例えばＵＳＢ（Universal Serial Bus）端子を介して電力の供給を受ける機器に必要な直流電圧に変換して、出力端子６から出力する。
【００３６】
主制御部１４はＡＣ／ＤＣ回路部８、ＤＣ／ＤＣ回路部９、充電回路部１０、インバータ回路部３０及びＤＣ／ＤＣ回路部１１と信号線によって接続され、それら各構成要素の状態を表す情報を得る。そして、主制御部１４は不図示の記憶部等に予め記憶されたプログラム、データや、上記各構成要素から得られた情報に基づきそれら各構成要素の動作を制御し、電力の出力端子５及び６への出力やバッテリ１３の充放電に係る一連の運転を実現する。表示部１７は蓄電システム１の運転情報、例えば交流電力出力中、バッテリ充電中などといった動作状態を表示する。
【００３７】
ここで、蓄電システム１はバッテリ１３に対して入出力される電路の接続状態、すなわち電力線１９に設けたブレーカ７の開閉状態の確認を適宜実行している。この確認動作にはリレー開閉制御部１５及びバッテリ電圧検出部１６を用いる。
【００３８】
リレー開閉制御部１５は主制御部１４から受信する制御信号に基づいてスイッチ１２の開閉を制御する。バッテリ電圧検出部１６はスイッチ１２を介した充電回路部１０の出力側とブレーカ７との間に電力線１９に設けられ、バッテリ１３の電圧を検出して主制御部１４に対して送信する。
【００３９】
上記構成の蓄電システム１において、主制御部１４は定期的にリレー開閉制御部１５に制御信号を送信してスイッチ１２を開状態（切断状態）にさせる。すなわち、充電回路部１０の出力側の電路を遮断することで、インバータ回路部３０への入力はバッテリ１３に蓄えた電力のみとなる。仮にブレーカ７が開状態（切断状態）であればバッテリ１３の電力がインバータ回路部３０に供給されないので、このことをバッテリ電圧検出部１６が検出する。
【００４０】
そして、主制御部１４はバッテリ電圧検出部１６から得られるバッテリ１３の電圧に基づいてバッテリ１３の異常状態、すなわちブレーカ７が開状態（切断状態）であることを識別する。このようにして、主制御部１４はバッテリ電圧検出部１６から得られる情報に基づいてブレーカ７の開閉状態、すなわちバッテリ１３に対して入出力される電路の接続状態を表示部１７に表示させる。
【００４１】
なお、上記構成によれば、バッテリ１３が劣化することにより、バッテリ１３が満充電状態であることを示しているにもかかわらず電力が全く蓄えられていないといった状態も、バッテリ１３の異常状態として検出することができる。
【００４２】
続いて、このような蓄電システム１のバッテリ１３に対して入出力される電路の接続状態の確認動作について、図２に示す動作フローに沿って説明する。図２は蓄電システム１のバッテリ１３に対して入出力される電路の接続状態の確認動作を示すフローチャートである。
【００４３】
蓄電システム１の運転が開始されると（図２のスタート）、主制御部１４は定期的にリレー開閉制御部１５に制御信号を送信してスイッチ１２を開状態（切断状態）にさせる（図２のステップ＃１０１）。そして、主制御部１４はバッテリ電圧検出部１６にバッテリ１３の電圧を検出させて、それに係る情報を受信する（ステップ＃１０３）。
【００４４】
次に、主制御部１４はバッテリ電圧検出部１６から得られるバッテリ１３の電圧に基づいてバッテリ１３が異常状態であるか否かを判定する（ステップ＃１０３）。
【００４５】
バッテリ１３が正常状態である場合（ステップ＃１０３のＮｏ）、主制御部１４はブレーカ７が閉状態であること、或いは充電回路部１０やインバータ回路部３０などとバッテリ１３とが電気的に接続されていること（既接続状態）を表示部１７に表示させる（ステップ＃１０４）。そして、ステップ＃１０１に戻り、引き続きバッテリ１３に対して入出力される電路の接続状態の確認動作を継続する。
【００４６】
一方、ステップ＃１０３において、バッテリ１３が異常状態である場合（ステップ＃１０３のＮｏ）、主制御部１４はブレーカ７が開状態であること、或いは充電回路部１０やインバータ回路部３０などとバッテリ１３とが電気的に接続されていないこと（未接続状態）を表示部１７に表示させる（ステップ＃１０５）。そして、ステップ＃１０１に戻り、引き続きバッテリ１３に対して入出力される電路の接続状態の確認動作を継続する。
【００４７】
上記のように、蓄電システム１は充電回路部１０及びインバータ回路部３０等とバッテリ１３との間の電力線１９に設けたブレーカ７と、充電回路部１０の出力側であって充電回路部１０とインバータ回路部３０等及びバッテリ１３との間に設けたスイッチ１２と、充電回路部１０及びインバータ回路部３０等とブレーカ７との間に設けたバッテリ電圧検出部１６と、スイッチ１２を定期的に開状態にし、そのときバッテリ電圧検出部１６から得られるバッテリ１３の電圧に基づいてバッテリ１３の異常状態を識別する主制御部１４と、その異常状態を報知する表示部１７と、を備える。これにより、主制御部１４は定期的にスイッチ１２を開状態（切断状態）にさせ、充電回路部１０の出力側の電路を遮断する。すなわち、インバータ回路部３０への入力はバッテリ１３に蓄えた電力のみとなる。例えば、ブレーカ７が開状態（切断状態）であればバッテリ１３の電力がインバータ回路部３０に供給されないので、このことをバッテリ電圧検出部１６が検出する。したがって、蓄電システム１はバッテリ電圧検出部１６から得られるバッテリ１３の電圧に基づいてブレーカ７の開閉状態、すなわちバッテリ１３に対して入出力される電路の接続状態を容易に確認することが可能である。
【００４８】
また、ブレーカ７を筐体２の外部から操作できるように筐体２に設けたので、例えばバッテリ１３を長期間使用しないときにブレーカ７を開状態にすることができる。したがって、ブレーカ７の開閉状態の確認が容易になることに加えて、待機電力によるバッテリ１３の消耗を低減させることが可能になる。
【００４９】
さらに、報知部である表示部１７が表示または光を用いてバッテリ１３の異常状態、すなわちブレーカ７の開状態をユーザに報知するので、ブレーカ７の開閉状態の確認をより一層容易にすることが可能である。
【００５０】
このようにして、本発明の上記実施形態の構成によれば、ユーザがバッテリ１３に対して入出力される電路の接続状態を容易に且つ確実に確認することが可能な蓄電システム１を提供することができる。すなわち、蓄電システム１におけるブレーカ７の入れ忘れや切り忘れを防止することが可能である。
【００５１】
＜第２実施形態＞
次に、本発明の第２実施形態の蓄電システムについて、図３を用いて説明する。図３は蓄電システムのバッテリユニットの構成を示すブロック図である。なお、この実施形態の基本的な構成は図１及び図２を用いて説明した前記第１実施形態と同じであるので、第１実施形態と共通する構成要素には前と同じ符号を付し、図面の記載及びその説明を省略するものとする。
【００５２】
第２実施形態の蓄電システム１は、図３に示すようにスイッチ２０及びＭＯＳＦＥＴ制御部２１を備える。充電回路部１０の出力側はスイッチ２０を介してインバータ回路部３０及びＤＣ／ＤＣ回路部１１の入力側と電気的に接続される。さらに、スイッチ２０を介した充電回路部１０の出力側と、インバータ回路部３０及びＤＣ／ＤＣ回路部１１の入力側とはブレーカ７を介してバッテリ１３とも電気的に接続される。
【００５３】
スイッチ２０は電路の開閉が可能な半導体スイッチ（半導体素子）からなり、通常閉状態（接続状態）になっている。なお、図３は半導体スイッチの一例としてＭＯＳＦＥＴ（Metal  Oxide  Semiconductor  Field  Effect  Transistor）を記載しているが、バイポーラトランジスタやサイリスタなども同様に使用することができる。ＭＯＳＦＥＴ制御部２１は主制御部１４から受信する制御信号に基づいてスイッチ２０の開閉を制御する。
【００５４】
この構成によれば、スイッチ２０における電気的な損失が低減する。したがって、ブレーカ７の開閉状態の確認が容易になることに加えて、蓄電システム１の省エネルギー化、小型化を図ることが可能になる。
【００５５】
さらに、他の半導体スイッチと比較してより低いオン抵抗が得られるＧａＮ（窒化ガリウム）ＦＥＴが開発されている。したがって、ＧａＮＦＥＴからなるスイッチ２０を使用すれば、蓄電システム１の省エネルギー化、小型化をより一層向上させることが可能になる。
【００５６】
＜第３実施形態＞
次に、本発明の第３実施形態の蓄電システムについて、図４を用いて説明する。図４は蓄電システムのバッテリユニットの構成を示すブロック図である。なお、この実施形態の基本的な構成は図１及び図２を用いて説明した前記第１実施形態と同じであるので、第１実施形態と共通する構成要素には前と同じ符号を付し、図面の記載及びその説明を省略するものとする。
【００５７】
第３実施形態の蓄電システム１は、図４に示すように報知部として表示部１７に加えて音声部２２を備える。主制御部１４はバッテリ電圧検出部１６から得られる情報に基づいてブレーカ７の開閉状態、すなわちバッテリ１３に対して入出力される電路の接続状態を表示部１７に表示させ、加えて音声部２２に警告音や警告音声を発生させる。
【００５８】
この構成によれば、表示や光といった視覚情報に加えて、聴覚情報としてブレーカ７の開閉状態がユーザに報知される。したがって、ブレーカ７の開閉状態の確認をより一層容易にすることが可能になる。
【００５９】
以上、本発明の実施形態につき説明したが、本発明の範囲はこれに限定されるものではなく、発明の主旨を逸脱しない範囲で種々の変更を加えて実施することができる。
【産業上の利用可能性】
【００６０】
本発明は蓄電池を備える蓄電システムにおいて利用可能である。
【符号の説明】
【００６１】
１    蓄電システム
２    筐体
３、４    入力端子
５、６    出力端子
７    ブレーカ（第１開閉器）
１０    充電回路部
１１    ＤＣ／ＤＣ回路部（出力電力変換部）
１２、２０    スイッチ（第２開閉器）
１３    バッテリ（蓄電池）
１４    主制御部（制御部）
１６    バッテリ電圧検出部（電圧検出部）
１７    表示部（報知部）
１９    電力線
２２    音声部（報知部）
３０    インバータ回路部（出力電力変換部）
【図１】
2014090547.tif 000003
【図２】
2014090547.tif 000004
【図３】
2014090547.tif 000005
【図４】
2014090547.tif 000006
【図５】
2014090547.tif 000007